(57)【要約】【課題】ひとつの容器で電子レンジによる消毒と薬液消毒をそれぞれ行うことができる消毒用容器を提供すること。【解決手段】収容空間を有するケース体１１でなり、載置状態と起立状態とを選択して使用するようにした消毒用容器１０であって、前記ケース体が、前記載置状態において、扉部２０の幅方向Ｘが、奥行き方向Ｙに対して僅かに長く仮想の水平断面がほぼ正方形でなり、左右側壁部に露出した把持部４０を有し、奥行き方向Ｙに移動されるトレー体３０と、前記ケース体の前記載置状態においては、前記トレー体よりも上の位置で、前記起立状態においてほぼ下向きとなる箇所に、開閉部材５０によって開閉されるように設けられた水抜き孔７０とを有しており、前記収容空間の前記扉部側の投影面積が、前記起立状態における前記収容空間の底面側の投影面積よりも大きくなるようにされている消毒用容器。【選択図】図２
2006110366.tif 000002
【特許請求の範囲】
【請求項１】
内部に消毒対象物を収容する収容空間を有するケース体でなり、このケース体を開閉する扉部が前面に位置する載置状態と、前記扉部により開閉される開口部を上方に向けた起立状態とを選択して使用するようにした消毒用容器であって、
前記ケース体が、
前記載置状態において、前記扉部を手前とした場合の扉部の幅方向が、奥行き方向に対して僅かに長く、仮想の水平断面がほぼ正方形でなり、左右側壁部に露出した把持部を有しており、
前記扉部を手前とした場合に、奥行き方向に移動されて前記収容空間に挿脱されるトレー体と、
前記ケース体の前記載置状態においては、前記トレー体よりも上の位置で、前記起立状態においてほぼ下向きとなる箇所に、開閉部材によって開閉されるように設けられた水抜き孔と
を有しており、
前記収容空間の前記扉部側の投影面積が、前記起立状態における前記収容空間の底面側の投影面積よりも大きくなるようにされている
ことを特徴とする消毒用容器。
【請求項２】
前記ケース体は、少なくとも前記起立状態における底面と側面との突き合わせ角部が曲面状に形成されていて、前記水切り孔が、前記曲面の一部を平坦状とした箇所に設けられており、この水切り孔に取り付けられる前記開閉部材自体、および／または開閉部材と前記水切り孔の周縁近傍との間に弾性体が配置されて、前記水切り孔を密閉するようにしたことを特徴とする請求項１に記載の消毒用容器。
【請求項３】
前記開閉部材が、前記ケース体の内側から前記水切り孔に緊密に挿入される密閉部と、前記ケース体のガイド部に対して、前記ケース体の外側から、前記水切り孔を完全に塞がない状態で嵌合される嵌合部とを備えていることを特徴とする請求項２に記載の消毒用容器。
【請求項４】
前記ケース体には、前記開閉部材を前記ケース体の外側から前記嵌合部を用いて嵌合させた状態において、前記開閉部材の前記嵌合部とは異なる領域を仮固定する固定手段が形成されていることを特徴とする請求項３に記載の消毒用容器。
【請求項５】
前記開閉部材の前記密閉部が前記水切り孔に挿入された結合力は、前記開閉部材の前記嵌合部が前記ガイド部に嵌合された結合力よりも強くなるように設定されていることを特徴とする請求項３または４のいずれかに記載の消毒用容器。
【請求項６】
前記開閉部材の前記密閉部が、この開閉部材の一面に形成され、前記嵌合部が前記一面と異なる他の面に形成されていることを特徴とする請求項３ないし５のいずれかに記載の消毒用容器。
【請求項７】
前記嵌合部が前記ガイド部に結合された状態で、この嵌合部及びガイド部が前記ケース体の内部と外部とを連通する小開口を形成する構成としたことを特徴とする請求項３ないし６のいずれかに記載の消毒用容器。
【請求項８】
前記ガイド部が、前記水切り孔の周縁に沿って設けられた複数のリブを有することを特徴とする請求項７に記載の消毒用容器。
【請求項９】
前記開閉部材が、前記ケース体の内側から前記水切り孔に緊密に挿入される前記水切り孔の内径よりも僅かに大きな外径を有し、前記水切り孔の中心に向かって変形する変形部を備える密閉突起部と、前記ケース体の外側から前記水切り孔に挿入される前記密閉突起部よりも僅かに小さな外径を有し、前記水切り孔の中心に向かって、前記密閉突起部の変形部よりも変形度合いの大きな変形部を備える嵌合突起部とを有していることを特徴とする請求項２に記載の消毒用容器。
【請求項１０】
前記開閉部材が、前記水切り孔の孔深さの方向に沿って進退される構成であり、さらに、進退位置に応じて、前記水切り孔を密閉し、あるいは別の進退位置で、前記ケース体と外部とを前記水切り孔を部分的に開放して連通させる構成としたことを特徴とする請求項２に記載の消毒用容器。
【請求項１１】
前記ケース体の前記左右側壁部に露出した把持部が、水平な面を備える第１の把持部と、垂直な面を備える第２の把持部とを備えており、前記左右側壁部の少なくとも、第１及び第２の把持部に隣接した領域に、側壁突起部が露出して設けられていることを特徴とする請求項１に記載の消毒用容器。
【発明の詳細な説明】
【技術分野】
【０００１】
この発明は、主として哺乳瓶等を収容して消毒するための消毒用容器に係り、特に、電子レンジ等を用いて簡単に消毒することができる消毒用容器の改良に関するものである。
【背景技術】
【０００２】
従来、新生児や乳幼児に使用する哺乳瓶や乳首等の付属品を清潔に用いるために、使用に先立ってこれらを消毒する場合、沸騰した湯の中でこれらを加熱消毒したり、蒸し器を利用して湯から生じる蒸気を利用して行うようにしている。
しかし、このような消毒方法は、特に、一般家庭で行う場合には手間がかかり、高温の湯を用いることで、取り扱いに伴う危険もある。
【０００３】
このため、電子レンジに挿入できるケース体に、哺乳瓶等を収容して、電子レンジのマイクロ波を用いて消毒できる簡便な消毒用容器も提案されている（特許文献１参照）。
このような従来の消毒用容器では、扉部のついた矩形のケース体に哺乳瓶や付属品を収容して、消毒用容器無いに水を入れ、電子レンジの庫内に挿入して消毒される。この消毒においては、電子レンジのマイクロ波による消毒効果と、さらに、ケース体の中の水が加熱されて、蒸気となり、これによる蒸気消毒及び洗浄を合わせて行うことができるようになっている。
【０００４】
【特許文献１】特開平８−１８７２７４号公報
【発明の開示】
【発明が解決しようとする課題】
【０００５】
ところで、上述の消毒用容器は、電子レンジを使用する簡便なものであるが、例えば、使用者が産院から退院したばかりで、以前に出産経験がない人等である場合には、入院中によく行われている消毒液を用いた哺乳瓶消毒を希望する場合もある。また、使用毎に薬液消毒を必要と感じなくても、何回かの使用により、そのたびに電子レンジ消毒を行う間に、薬液による念入りな消毒をしたい場合もある。
【０００６】
このような場合、従来では、電子レンジ消毒に用いる消毒用容器とは別に、薬液消毒用の容器を用意しなければならない。すなわち、電子レンジによる消毒と薬液消毒では手法が異なることから、ケース体等の容器を兼用するための工夫を必要とするもので、そのような工夫がある容器は未だ知られていない。
このため、消毒方法によって、別々の容器を用意することから、費用が嵩み、また、それぞれの収納場所を必要とする等の問題がある。
【０００７】
本発明は、このような問題を解決するためになされたもので、ひとつの容器で電子レンジによる消毒と薬液消毒をそれぞれ行うことができる消毒用容器を提供することを目的とする。
【課題を解決するための手段】
【０００８】
上記目的は、請求項１の発明にあっては、内部に消毒対象物を収容する収容空間を有するケース体でなり、このケース体を開閉する扉部が前面に位置する載置状態と、前記扉部により開閉される開口部を上方に向けた起立状態とを選択して使用するようにした消毒用容器であって、前記ケース体が、前記載置状態において、前記扉部を手前とした場合の扉部の幅方向が、奥行き方向に対して僅かに長く仮想の水平断面がほぼ正方形でなり、左右側壁部に露出した把持部を有しており、前記扉部を手前とした場合に、奥行き方向に移動されて前記収容空間に挿脱されるトレー体と、前記ケース体の前記載置状態においては、前記トレー体よりも上の位置で、前記起立状態においてほぼ下向きとなる箇所に、開閉部材によって開閉されるように設けられた水抜き孔とを有しており、前記収容空間の前記扉部側の投影面積が、前記起立状態における前記収容空間の底面側の投影面積よりも大きくなるようにされている消毒用容器により、達成される。
【０００９】
請求項１の構成によれば、本発明の消毒用容器は、ケース体を開閉する扉部が前面に位置する載置状態で電子レンジの庫内に収容して電子レンジによる消毒を行い、前記扉部により開閉される開口部を上方に向けた起立状態において、ケース体の中に薬液を収容して薬液消毒を行うものである。
この場合、前記ケース体が、前記載置状態において、前記扉部を手前とした場合の扉部の幅方向が、奥行き方向に対して僅かに長く仮想の水平断面がほぼ正方形としたので、収容物となる哺乳瓶等の出し入れを行い易い。しかも、例えば、円形のターンテーブルを備えた電子レンジの庫内に収容した場合においても、ターンテーブルの円周に対して、ケース体の外形がほぼ内接する形態であり、可能な限り大きな容積を確保しつつ、電子レンジの庫内の壁に接触せず、支障なくターンテーブルを回転させることができる。
【００１０】
また、ケース体の左右側壁部に露出した把持部を有していることから、電子レンジの庫内に出し入れする場合にも把手が邪魔にならず、この把手を使用して出し入れの作業がしやすい。
さらに、ケース体の前記扉部を手前とした場合に、奥行き方向に移動されて前記収容空間に挿脱されるトレー体と、前記ケース体の前記載置状態においては、前記トレー体よりも上の位置で、前記起立状態においてほぼ下向きとなる箇所に、開閉部材によって開閉されるように設けられた水抜き孔を有しているので、トレー体に電子レンジ加熱用の水を収容して、トレー体をケース体に収容することができ、加熱消毒後は、前記水抜き孔から不要な湯を捨てることができる。
また、前記収容空間の前記扉部側の投影面積が、前記起立状態における前記収容空間の底面側の投影面積よりも大きくなるようにされている。このため、ケース体を前記起立状態として、内部に薬液を所定量収容した後で、哺乳瓶やその付属品等を薬液内にいれても、液面の急激な上昇が防止されるので、薬液の外部への溢れを防止して、適切に薬液消毒を行うことができる。
【００１１】
請求項２の発明は請求項１の構成において、前記ケース体は、少なくとも前記起立状態における底面と側面との突き合わせ角部が曲面状に形成されていて、前記水切り孔が、前記曲面の一部を平坦状とした箇所に設けられており、この水切り孔に取り付けられる前記開閉部材自体、および／または開閉部材と前記水切り孔の周縁近傍との間に弾性体が配置されて、前記水切り孔を密閉するようにしたことを特徴とする。
請求項２の構成によれば、ケース体の前記角部に水切り孔を位置させることで、この角部を目安として下に向けて水切り作業を行うことができ、作業がしやすい。しかもこの角部の曲面の一部を平坦にして水切り孔を設けることで、この平坦領域に前記開閉部材を配置し、それ自体もしくは付属の弾性体を平坦面に密着させることで、水切り孔を閉止する密閉性能を向上させることができる。
【００１２】
請求項３の発明は請求項２の構成において、前記開閉部材が、前記ケース体の内側から前記水切り孔に緊密に挿入される密閉部と、前記ケース体のガイド部に対して、前記ケース体の外側から、前記水切り孔を完全に塞がない状態で嵌合される嵌合部とを備えていることを特徴とする。
請求項３の構成によれば、薬液消毒の際には、前記開閉部材の密閉部を、前記ケース体の内側から前記水切り孔に緊密に挿入することで、薬液が外に漏れないように完全に密閉できる。また、電子レンジ消毒の際には、前記ケース体の外側から、前記開閉部材の嵌合部が水切り孔を完全に塞がない状態で嵌合されるので、加熱によるケース体内の圧力を抜くことができるし、消毒後の水切りを行うこともできる。
【００１３】
請求項４の発明は請求項３の構成において、前記ケース体には、前記開閉部材を前記ケース体の外側がら前記嵌合部を用いて嵌合させた状態において、前記開閉部材の前記嵌合部とは異なる領域を仮固定する固定手段が形成されていることを特徴とする。
請求項４の構成によれば、電子レンジ消毒に場合において、水抜き孔に前記開閉部材を前記ケース体の外側から前記嵌合部を用いて嵌合させた状態で、さらに開閉部材を仮固定することで、嵌合部による嵌合を解除して、水抜き孔を露出させ水抜きを一度に行った際等に、不用意に、比較的ゆるい嵌合状態が外れて、開閉部材が落ちたり、紛失したりすることが有効に防止される。
【００１４】
請求項５の発明は請求項３または４のいずれかの構成において、前記開閉部材の前記密閉部が前記水切り孔に挿入された結合力は、前記開閉部材の前記嵌合部が前記ガイド部に嵌合された結合力よりも強くなるように設定されていることを特徴とする。
請求項５の構成によれば、前記開閉部材は、その密閉部が前記水切り孔に挿入された結合力が強いため、外れにくく、薬液消毒の際に消毒液が漏れることが確実に防止される。また、前記嵌合部が前記ガイド部に嵌合された結合力が、密閉部と比べると弱いために、電子レンジ消毒に際して、着脱が容易で、水切り孔を全部開放して、効率よく水切りを行おうとする場合には、作業が容易となる。
【００１５】
請求項６の発明は請求項３ないし５のいずれかの構成において、前記開閉部材の前記密閉部が、この開閉部材の一面に形成され、前記嵌合部が前記一面と異なる他の面に形成されていることを特徴とする。
請求項６の構成によれば、同じ水切り孔やガイド部に挿入される二種類の部材としての密閉部と嵌合部を区別して形成する上で、形成箇所を異ならせるため、形成が容易となり、しかも使用者もこれらを区別しやすくなり、誤装着を有効に防止できる。
【００１６】
請求項７の発明は請求項３ないし６のいずれかの構成において、前記嵌合部が前記ガイド部に結合された状態で、この嵌合部及びガイド部が前記ケース体の内部と外部とを連通する小開口を形成する構成としたことを特徴とする。
請求項７の構成によれば、薬液消毒の場合に、誤ってケース体の外側から嵌合部を水切り孔のガイド部に嵌合させた場合には、小開口から直ちに薬液が漏れるので、誤使用を未然に防ぐことができる。また、電子レンジ消毒の際には、加熱によるケース体内の圧力を前記小開口からを抜くことができ、さらに、嵌合部を装着した状態のまま少しづつ水切りする上でも便利である。
【００１７】
請求項８の発明は請求項７の構成において、前記ガイド部が、前記水切り孔の周縁に沿って設けられた複数のリブを有することを特徴とする。
請求項８の構成によれば、前記水切り孔の周縁に沿って複数のリブを設けることで、嵌合部を装着するためのガイド部を容易に形成することができる。
【００１８】
請求項９の発明は請求項２の構成において、前記開閉部材が、前記ケース体の内側から前記水切り孔に緊密に挿入される前記水切り孔の内径よりも僅かに大きな外径を有し、前記水切り孔の中心に向かって変形する変形部を備える密閉突起部と、前記ケース体の外側から前記水切り孔に挿入される前記密閉突起部よりも僅かに小さな外径を有し、前記水切り孔の中心に向かって、前記密閉突起部の変形部よりも変形度合いの大きな変形部を備える嵌合突起部とを有していることを特徴とする。
請求項９の構成によれば、開閉部材の密閉突起部は前記水切り孔に緊密に挿入されるよう前記水切り孔の内径よりも僅かに大きな外径を有しているので、薬液消毒の際には、薬液が漏れることなく密閉できる。しかも、密閉突起部の変形部が適切に変形することで、大きな外形の密閉突起部が水切り孔に挿入可能とされ、その変形部は嵌合突起部よりも変形度合いが小さいので、密閉状態を強く確実に保持できる。これに対して、開閉部材の嵌合突起部は前記密閉突起部よりも僅かに小さな外径を有しているので、より前記水切り孔への着脱を行い易く、その変形部は前記密閉突起部の変形部よりも変形度合いが大きいので、この点においても、電子レンジ消毒の際に着脱しやすい。そして、密閉突起部と嵌合突起部を開閉部材の互いに異なる面に形成すれば、誤使用が起こりにくい。
【００１９】
請求項１０の発明は請求項２の構成において、前記開閉部材が、前記水切り孔の孔深さの方向に沿って進退される構成であり、さらに、進退位置に応じて、前記水切り孔を密閉し、あるいは別の進退位置で、前記ケース体と外部とを前記水切り孔を部分的に開放して連通させる構成としたことを特徴とする。
請求項１０の構成によれば、開閉部材が進退位置に応じて、ケース体の密閉と開放を選択できるので、操作が簡単で確実である。
【００２０】
請求項１１の発明は請求項１の構成において、前記ケース体の前記左右側壁部に露出した把持部が、水平な面を備える第１の把持部と、垂直な面を備える第２の把持部とを備えており、前記左右側壁部の少なくとも、第１及び第２の把持部に隣接した領域に、側壁突起部が露出して設けられていることを特徴とする。
【００２１】
請求項１１の構成によれば、この構成は特に、消毒用容器を電子レンジ消毒と、薬液消毒の別々の用途に共通して使用する上で、さらに便宜となる構成である。すなわち、電子レンジ消毒を行う場合には、例えば、レンジの庫内にあるケース体を引き出す際には、第２の把持部に両手の適当な指をかけることで、手前に引き出すことが容易となる。また、ケース体を持ち上げる際には、第１の把持部の下に両手の適当な指をかけることで、垂直に持ち上げることが容易となる。さらに、薬液消毒の際には、ケース体を起立状態とした時、第２の把持部の下に両手の適当な指をかけることで、垂直に持ち上げることが可能となる。しかも、第１及び第２の把持部に隣接した領域に、側壁突起部が露出して設けられていることから、例えば、電子レンジ消毒の際にケース体外面が熱を持った状態においては、指がかりとなる第１及び第２の把持部を使用する際に、ケース体外面に誤って手が触れても、側壁突起部に接触することで、火傷や熱による不快感を避けることができる。
【発明の効果】
【００２２】
以上述べたように、本発明によれば、ひとつの容器で電子レンジによる消毒と薬液消毒をそれぞれ行うことができる消毒用容器を提供することができる。
【発明を実施するための最良の形態】
【００２３】
以下、この発明の好適な実施形態を添付図面を参照しながら、詳細に説明する
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２４】
図１および図２は、本発明の第１の実施形態による消毒用容器１０を示しており、それぞれ扉部を手前にした載置状態において、図１は右側から示す概略斜視図、図２は左側から示す概略斜視図である。
これらの図において、消毒用容器１０は、内部に後述する哺乳瓶やその付属品である乳首等の消毒対象物を収容する収容空間を有する箱状の本体であるケース体１１を有している。
この消毒用容器１０は、図示するような載置状態において、電子レンジ消毒に使用され、後述する起立状態、すなわち、図において背後の面を底面として起立させた状態において、薬液消毒に使用されるようになっている。
【００２５】
ケース体１１は、図３に示す前面に開口部１２があり、この開口部１２は、図１及び図２においては、扉部２０によって閉止されている。このケース体１１は、図１及び図２に示すように、載置状態において、扉部２０を手前として、幅方向Ｘの寸法が、奥行き方向Ｙに対して僅かに長い直方体形状でなり、左右側壁部１４，１５にそれぞれ露出した把持部４０，４０を有している。
【００２６】
さらに、この扉部２０の下側において、図３に示すように、奥行き方向Ｙに移動されてケース体１１の収容空間である内部空間Ｓ内に挿脱されるトレー体３０を有しており、このトレー体３０上には、消毒対象である例えば哺乳瓶のボトルＢが載せられることでセットされるようになっている。具体的には、トレー体３０の上面には、２つの凸条を設けることで、例えば３本のボトルが等間隔に配置できるようにされている。
また、図２に示すように、ケース体１１の載置状態においては、トレー体３０よりも上の位置で、ケース体１１の上述した起立状態においてほぼ下向きとなる箇所に、開閉部材５０によって開閉されるように設けられた水抜き孔が形成されている。この水抜き孔については、後で詳しく説明する。
【００２７】
図３において、ケース体１１の内部空間Ｓにおいて、トレー体３０よりも上方の空間には、図４に示す小ケース６０が収容される。この小ケース６０をケース体１１に収容する途中の状態を示したのが図５である。
図４に示されているように、小ケース６０は、全体が通気可能な貫通した細かな編み目を備えたバスケット状に形成されており、開閉できるようになっている。小ケース６０の内部には、哺乳瓶のボトルＢに固定される乳首（人工乳首）Ｎと、乳首Ｎを固定するためのキャップＫ、これに被せるフードＦ等の付属品が収容されるようになっている。
【００２８】
尚、好ましくは、図３のようにトレー体３０が３本のボトルＢを載置する場合に、乳首Ｎと、キャップＫ、フードＦは、ボトルＢの数に合わせて、３セット分の付属品が小ケース６０に収容できるようになっている。この場合、小ケース６０の乳首Ｎ等を載置する側の面は図２２に示すように、編み目が同心の円形をなすように、放射状に連続していることから、乳首Ｎの内面に確実に蒸気を導くことができる。
このような状態で、消毒用容器１０は、電子レンジ（図示せず）の庫内に収容されて消毒が行われるようになっている。
そして、これらの構成、すなわち、ケース体１１、扉部２０、トレー体３０、小ケース６０は、電子レンジによる加熱に耐え、消毒に用いる薬液に耐える性質を有し、成形性に優れた丈夫な材質で形成され、例えば、開閉部材５０を除き、全て合成樹脂、例えば、ＰＰ（ポリプロピレン）で形成することができる。
【００２９】
図６は、消毒用容器１０の概略平面図であり、トレー体３０や小ケース６０が挿入された状態が視認できるようにされており、あわせて、電子レンジ（図示せず）のターンテーブルの周縁部Ｃとの関係が示されている。ここで、図示の円周Ｃは消毒容器１０の外形がほぼ内接する仮想の円周に相当する。図７は、図６のＡ−Ａ線概略断面図であり、トレー体３０と小ケース６０が挿入された状態で、それぞれボトルＢと付属品であるフードＦ及び乳首Ｎ、キャップＫを収容した状態が示されている。図８はケース体１１の右側面図である。
【００３０】
図６において、消毒用容器１０の平面視の形態は、奥行き方向Ｙよりも幅方向Ｘが僅かに大きい長方形であるが、むしろ正方形に近い形態である。これにより、円形のターンテーブルＣの内側に対して、消毒用容器１０の外形、特に、隅部がほぼ内接する形態とされているので、ターンテーブルＣの回転を阻害しない範囲で、可能な限りの容積を得るようにされている。すなわち、図６に示される外形と一致する消毒用容器１０の仮想の水平断面を実際の設計が許す限り正方形と同等としたものである。
【００３１】
また、消毒対象の収容空間である内部空間Ｓの扉部２０側の投影面積が、図において上側の投影面積よりも大きくなるようにされている。つまり、図示の幅Ｗ１の寸法が、Ｗ２の寸法よりも大きくなるようにされている。このため、ケース体１１を後述するように起立状態として、内部空間Ｓに薬液を所定量収容した後で、哺乳瓶Ｂやその付属品等を薬液内にいれても、液面の急激な上昇が防止されるので、薬液の外部への溢れを防止して、適切に薬液消毒を行うことができるようになっている。
【００３２】
図７に示されているように、ケース体１１の内側には、その内部空間Ｓの上部において、両側壁１４，１５に、奥行き方向Ｙに延びるレール状もしくは突条でなる小ケースガイド部１３ａが形成されている。この小ケースガイド部１３ａ上に、小ケース６０の両側面に形成された載置部が載せられて、Ｙ方向に移動可能に載置されるようになっている。同様に、ケース体１１の内側には、その内部空間Ｓの下部において両側壁１４，１５に、奥行きＹ方向に延びるレールもしくは突条等でなるトレー体ガイド部１３ｂが形成されている。このトレー体ガイド部１３ｂの下にトレー体３０の両側壁上縁が位置することで、トレー体３０は奥行きＹ方向にのみ移動されるようになっている。また、図６ないし図８を参照して理解されるように、ケース体１１を構成する各面の突き合わせ箇所は、陵線にそって曲面状に面取りされている。
【００３３】
図８には側壁把持部４０が示されている。側壁把持部４０は、図１及び図２を参照して理解されるように、左右の側壁部１４，１５に、同じ形態でそれぞれ露出して形成されている。
この側壁把持部４０は、図８に示されているように、水平な面を備える第１の把持部４１と、垂直な面を備える第２の把持部４２とが、それぞれ端部を一体にして、全体としてＬ字を横にしたような形態を備えている。この第１及び第２の把持部に隣接して、この実施形態では、第１の把持部４１と第２の把持部４２の内側に側壁突起部４３が露出して設けられている。この側壁突起部４３は、水平に平行して延びる複数の突条４３ａ，４３ｂ，４３ｃ，４３ｄを備えている。
【００３４】
このような側壁把持部４０を備えることにより、消毒用容器１０を電子レンジ消毒と、薬液消毒の別々の用途に共通して使用する上で、以下の点で便利である。すなわち、電子レンジ消毒を行う場合には、例えば、レンジの庫内にあるケース体１１を引き出す際には、図１及び図２を参照して理解されるように、第２の把持部４２に両手の適当な指をかけることで、電子レンジの開口から手前に引き出すことが容易となる。また、ケース体１１を持ち上げる際には、第１の把持部４１の下に両手の適当な指をかけることで、垂直に持ち上げることが容易となる。さらに、後述する薬液消毒の際には、ケース体１１を起立状態とした時、第２の把持部４２の下に両手の適当な指をかけることで、垂直に持ち上げることが可能となる。
【００３５】
しかも、電子レンジ消毒の際にケース体外面が熱を持った状態においては、指がかりとなる第１及び第２の把持部４１，４２を使用する際に、ケース体１１外面に誤って手が触れても、側壁突起部４３に接触することで、火傷や熱による不快感を避けることができる。
そして、側壁突起部４３が、前記水平面と平行な方向に延びる複数の突条４３ａ，４３ｂ，４３ｃ，４３ｄで形成されているので、火傷等の防止のほか、ケース体を持ち上げる際等に指をそえれば、滑り止めとなって、取り落としにくくなる。尚、把持部４０は、左右の側壁部１４，１５を膨らませ、そこに窪みを形成する等により形成してもよく、その場合には、当該窪みに突条等の滑り止めを形成すると好ましい。
【００３６】
図９はトレー体３０の概略平面図であり、図１０は図９のＢ−Ｂ線概略断面図である。トレー体３０は、電子レンジによる消毒作業の際に、消毒対象としての主として哺乳瓶Ｂを載置するもので、好ましくは複数本の哺乳瓶Ｂを載置可能な凹状の皿のような形態を備えている。これにより、トレー体３０は、電子レンジ加熱に必要とされる少量の水を貯留できる容器を兼ねている。
このため、図１０に示すように、トレー体３０の凹面形状は、扉部２０側に配置される先端側が、奥側（図１０における右側）よりも僅かに高くされており、手前側に高温の湯がこぼれないようにされている。その底面は、哺乳瓶Ｂの形態に適合するように、奥側に向かって僅かに傾斜するように形成されている。
【００３７】
トレー体３０の先端、すなわち、図９の下端、図１０の左端位置には、外方に曲面状に突出した手掛かり部３１が設けられ、手掛かり部３１の周縁３１ａは下方にリブ状にされることで、その内側に下向きに開放された空間を形成している。
また、トレー体３０の内面には、支持手段３３が形成されており、後述するように薬液消毒の際に使用される。支持手段３３は、小さな２枚の板を底面部から一体に起立させて、これらの間に狭いスリット状の空間を形成したものである。そして、トレー体３０の手掛かり部３１側が低くされており、後述する薬液消毒時に、薬液の液面に接触することなく支持手段３３への着脱ができる。この実施形態では、図９に示すように支持手段３３，３３として二箇所に形成されており、トレー体３０に複数の哺乳瓶Ｂを載置した際には、隣り合う哺乳瓶Ｂの間に位置して、哺乳瓶Ｂを載置する上で邪魔にならない位置に設けられている。そして、この支持手段３３，３３は、トレー体３０の手掛かり部３１寄りに設けられ、具体的には、後述する薬液消毒の際の消毒液の液面付近に位置するようにされている。尚、トレー体３０の手掛かり部３１は、その周縁３１ａが下方にリブ状となる構成とは異なり、扉部２０側に把持部４０と同様な突出部を設けることで形成してもよい。
【００３８】
さらに、トレー体３０の奥側には、幅方向に並んだ複数の支持手段３２，３２，３２が設けられている。この支持手段３２，３２，３２は電子レンジ消毒の際に使用される。
支持手段３２は、垂直方向に延びるスリット３２ａもしくは深い溝を備えており、図１１及び図１２に示す保持体３５を支持するものである。
これらの図において、保持体３５は、一方向に長い板体でなるベース３８の一面に等間隔な長さ方向に並ぶ円筒状の保持部３６，３６，３６を備えている。この保持部３６，３６，３６は、電子レンジ消毒の対象となる哺乳瓶Ｂ等の瓶体の開口部内径よりも小さな外形を備えており、所定の長さを有している。
また、ベース３８には、その長手方向の一辺に、それぞれ外方に延びる舌片状の支持片３７，３７，３７が、等間隔に並んで形成されている。
【００３９】
以上の構成でなる保持体３５は、トレー体３０の支持手段３２のスリット３２ａに対して、各支持片３７を挿入することで仮固定される。この際、支持片３７，３７，３７の間に位置するベース３８も支持手段３２，３２，３２の間に設けられたスリットでなる３２ｂ，３２ｂのそれぞれのスリットに入り込むことで、保持体３５を確実に保持する。この状態で、トレー体３０の上に哺乳銀Ｂを、その開口部が奥側に向くように載置すると、図７に示されているように、保持部３６が各哺乳瓶Ｂの開口部内に差し入れられるので、トレー体３０上で、各哺乳瓶Ｂが位置ずれをせず、また、水切りのために、起立状態とした際に哺乳瓶Ｂが倒れないように保持することができるとともに、保持部３６が中空の円筒状とされていることに伴い、哺乳瓶Ｂ中に蒸気が導かれることになる。このため、保持体３５には、消毒可能な数の哺乳瓶Ｂに対応した数の保持部３６が形成されている。
【００４０】
図１３は、扉部２０の概略平面図、図１４は扉部２０の概略水平断面図、図１５は、扉部２０の概略右側面図である。
扉部２０は、片開き式の扉でなっている。扉部２０は、図３で説明したように、ケース体１１の開口部１２のトレー体３０が占める領域を除く開口部面積を開閉する大きさに形成されている。この扉部２０は、電子レンジ消毒の場合、トレー体３０を移動させて、消毒対象物を出し入れしたり、消毒用の水を投入するとともに、図５で説明した小ケース６０を挿脱するためのものであり、後述する薬液消毒の場合には、消毒対象の哺乳瓶Ｂその他や消毒液を出し入れするためのものである。
【００４１】
扉部２０の前面には、前方に向かって曲面状に突出する手掛かり部２１が形成されている。図１５に示されているように、手掛かり部２１の周縁２１ａは下方にリブ状にされることで、その内側に下向きに開放された空間を形成している。そして、図７を参照して理解されるように、この手掛かり部２１は、扉部２０を閉止した状態において、トレー体３０の手掛かり部３１の外側に位置するように突出寸法を設定されることによって、トレー体３０の飛び出しを防止する係止手段とされている。これにより、ケース体１１に収容されたトレー体３０の手掛かり部３１の外側に、閉止した扉部２０の手掛かり部２１の周縁２１ａが当接して、トレー体３０が外側にスライドしてしまうことを防止している。
ここで、周縁２１ａは、扉部２０の下縁に沿って、下縁全体に設けられ、トレー体３０の先端側（図７の左側）上縁全体を覆い、スライドを防止するとともに密閉性を高めている。また、扉部２０の内面には、リブ２２が設けられている。このリブ２２は、図７に示すように、収容空間Ｓ内で、トレー体３０の先端側よりも内側に端部が位置しており、扉部２０に付着した蒸気によるしずくが、外部に漏れでないようになっている。
【００４２】
図１３において、扉部２０の左端位置には、扉部２０を開閉するためのヒンジ部２３が設けられ、扉部２０の右端位置には、扉部２０の掛止手段２４が形成されている。
図１６（ａ）は、ヒンジ部２３を拡大した断面で示す図であり、図においてヒンジ部２３は、支軸２３ａと、後述する軸受を逃げる空間２３ｂを介して支軸２３ａと一体に形成されたアーム部２３ｃを備えている。アーム部２３ｃの支軸２３ａ側とは反対の端部は扉部２０と一体である。アーム部２３ａはこの断面において外方に凸となるような曲線状とされている。
【００４３】
図６に示すように、扉部２０のヒンジ部２３を設けた隅部は、消毒容器１０の外形がほぼ内接する仮想の円周に対応するターンテーブルＣの周縁に近接している。この場合、アーム部２３ａが曲線状に扉部２０の隅部を回り込んで、距離ｙ１だけ奥側にとなる左側壁部１４側にオフセットした位置に回動軸が設けられており、ケース体１１の側壁１４に軸受２６が設けられて、この軸受２６に支軸２３ａが装着されている。これにより、ヒンジ部２３は外方に突出してターンテーブルＣの周縁から外に出た領域に位置しないようにされている。
【００４４】
図１７は、ヒンジ部２３の支軸２３ａを支持する軸受２６の構成例を示している。図示されているように軸受２６は、スリット２６ａを有する複数の割り筒状に形成されている。これにより、使用者が扉部２０を開いて、その開き角度が１８０を超えて大きくなった際には、曲線状のアーム部２３ｃの突出した外面がケース体１１の側壁１４に当接して、支軸２３ａが弾性により開いた軸受２６のスリット２６ａから外れるようにされている。これにより、ヒンジ部２３の極端に大きな力がかかってヒンジ部２３の支軸２３ａや軸受２６が破壊されることを有効に防止できる。
【００４５】
図１６（ｂ）は、扉部２０の掛止手段２４を拡大した断面で示す図であり、図において掛止手段２４は、内方に向かってほぼ「く」の字状に曲折された掛止片で、その先端部２４ａは僅かに外側に折れている。掛止手段２４の途中には、ケース体１１側の右壁部に設けた掛止凸部２５が入り込む窓状の孔２４ｂが形成されている。ケース体１１の右壁部１５に設けられた掛止凸部２５は図１に示されており、この掛止凸部２５が設けられている位置は、図６で説明した軸受２６と同様に、消毒容器１０の外形がほぼ内接する仮想の円周よりも内側であるため、掛止手段２４は、そのほとんどが右壁部１５に位置して、この結果ターンテーブルＣの内側に収まり、軸受２６とほぼ対称の箇所である。
【００４６】
掛止手段２４は、その弾性に基づくバネ性により、図１６（ｂ）にて矢印に示すように外側に変形することで、掛止凸部２５を乗り越えて、さらに掛止凸部２５を窓状の孔２４ｂにはめ込まれることで、掛止手段２４が内方に向かう矢印に示すように復帰し、扉部２０が閉止状態で掛止される。また、扉部２０の掛止状態を解除する場合は、掛止手段２４の先端部２４ａに指をかけて、図１６（ｂ）の矢印に示す外側に力をかけることで、掛止状態を簡単に解除できる。このトレー体３０の移動方向に対する扉部２０の閉止状態をたもつための閉止手段である掛止手段２４によって、扉部２０が不用意に開くことを防ぐとともに、トレー体３０が不用意に移動してしまうことを防いでいる。
【００４７】
図１８および図１９は、小ケース６０の構成例を示しており、図１８は小ケース６０の概略斜視図、図１９は図１８のＣ−Ｃ線概略断面図である。
小ケース３０は、消毒対象の付属品等を主に収容する手段であり、図１８及び図１９に示されているように、浅い箱状のバスケットのような形態である。すなわち、小ケース６０は、所定の深さの本体６１と、この本体６１に対してヒンジを介して開閉される蓋体６２を有しており、蓋体６２を閉じた状態で形成される内部空間は、図７に示されているように、乳首ＮやフードＦ、キャップＫ等が完全に収容できる大きさとなるようにされている。
【００４８】
本体６１の上端周縁部は、フランジ状の載置部６７とされており、図７で説明したケース本体１１の内面に設けられたガイド部１３に載置されるようになっている。蓋体６２の主面には、多数のスリット６２ａが形成されており、電子レンジ消毒の際の加熱された水から出る蒸気が通過できるようになっている。
本体６１の底面は、固定底面部６３と、着脱底面部６４とを備えている。固定底面部６３と、着脱底面部６４には、ともに同様の同心円状のスリット６１ａが、図示の場合合計６組形成されている。これは一度の消毒対象の個数に対応しており、より多い数でも、少ない数でもよい。ひとつひとつの同心円状のスリットには、それぞれ、乳首ＮやフードＦ、キャップＫが開口部を伏せた状態で置かれることで、乳首ＮやフードＦ、キャップＫの内面を含めた表面がスリットを通過する蒸気に好適にさらされるようになっている。
【００４９】
図２０及び図２１は、着脱底面部６４を示しており、図２０はその概略側面図、図２１はその概略平面図である。
着脱底面部６４は、後述するように、固定底面部６３と同一面となる位置に掛止され、あるいは掛止状態を解除することで取り外すことができるようにされている。
着脱底面部６４には、そのひとつの長辺の中央付近に、着脱底面部６４の主面と直交する方向に延びるつまみ部６５を有しており、着脱作業に利用できるようになっている。着脱底面部６４の他の長辺には、この着脱底面部６４の主面と同じ方向に延びる一対の支持片６６，６６が形成されている。後述する薬液消毒の際には、この着脱底面部６４を取り外して、その一対の支持片６６，６６を図６や図１０で説明した支持手段３３，３３の隙間に差し入れることにより、図７に示すように起立状態で薬液消毒する際に取り付けることができる。
【００５０】
図２２は、ケース体１１に設けられる水切り孔の周辺を示す部分概略斜視図である。水切り孔７０は、消毒用容器１０を載置状態とした場合に、図７に示されているように、実質的にトレー体３０よりも高い位置、すなわち、トレー体３０に収容される電子レンジ消毒に使用される水が溢れない位置に設定される。また、水切り孔７０は、後述する起立状態においては、図２２の奥側壁部１６が底面となるため、孔がほぼ下向き（斜め下向き）となる箇所に、図２で示した開閉部材５０によって開閉されるように設けられている。
これにより、電子レンジ消毒の際には、トレー体３０に収容した水が水切り孔７０からこぼれることがなく、消毒後には、水切り孔から不要となった湯を排出することができる。また、薬液消毒時には、後述する開閉部材を使用して密閉することで薬液が水切り孔から漏れ出ることがない。
ケース体１１を起立させた状態では水切り孔７０が底面である奥側壁部１６に近接し、下を向くので、湯または水を捨てる際には、完全に残さず捨てる作業が容易である。
【００５１】
このような水切り孔７０周辺の構造について先ず説明する。
図６ないし図８で説明したように、ケース体１１を構成する各面の突き合わせ箇所は、陵線にそって曲面状に面取りされている。図２２に示された奥側壁部１６と他の面との突き合わせ箇所の少なくとも水切り孔７０が形成された突き合わせ箇所もこのような曲面１６ａとされている。この曲面１６ａの中央部には、奥側壁部１６を底面として、起立状態とした際に、ケース体１１の起立状態を支持する支持脚１６ａが奥側壁部１６の四隅に形成されている。
【００５２】
また、水切り孔７０周辺を保護するために一対のリブ７１，７１が、ケース体１１の載置状態における水切り孔７０の上下の箇所に設けられている。
一対のリブ７１，７１は間に所定の間隔が設けられており、このリブ７１とリブ７１の間の領域は、曲面１６ａと異なり平坦面７２とされている。この平坦面７２に後述する開閉部材５０が装着されることで、隙間をつくりにくく、密閉性能をより確実にすることができる。また、平坦面７２に後述するガイド部７４の構造を形成する上において、曲面にガイド部や孔を形成する場合と比べて、型を用いた成形が容易となる。
【００５３】
図２３は水切り孔７０の周辺を示す拡大して示す平面図、図２４は図２３のＤ−Ｄ線切断端面図である。
これらの図において、水切り孔７０は貫通孔である。水切り孔７０の外面側には、その周縁に沿ってガイド部７４が形成されている。ガイド部７４はその内側と外側を一部連通する壁で形成さる。この実施形態では、ガイド部７４は、例えば、水切り孔７０の周縁に沿って、例えば、４箇所配置されたリブである。このガイド部７４のリブの間には、流路７４ａが複数箇所形成されている。ガイド部７４の高さＧＴは、少なくとも外側のリブ７１，７１の高さを超えない高さとされている。ガイド部７４の内側には、水切り孔７０との間に段部７５を形成することで、ガイド部７４の内径ＧＬ１は、水切り孔７０の内径ＨＬよりも大きく形成されている。
さらに、平坦面７２のガイド部７４及び水切り孔７０とずれた位置に固定用ボス７３が形成されている。固定用ボス７３の高さはガイド部７４と同じであることが好ましい。
図２３に示されているように、固定用ボス７３は外径の縦横比は僅かに相違しており方向性が付与されており、長径側の上面（図２４における上端）側には、後述する開閉部材の一部を着脱可能な範囲で係止可能とするためのリブとされている。
【００５４】
図２５ないし図２８は、水切り孔７０に装着される水切り孔７０の開閉部材５０の構成例を示している。
図２５は開閉部材５０の概略平面図、図２６は開閉部材５０の概略側面図、図２７は開閉部材５０の概略底面図、図２８は図２５のＥ−Ｅ線切断端面図である。開閉部材５０は、弾力性のある比較的柔軟で丈夫な材料で形成されており、例えば、シリコン等の成形品で形成されている。
開閉部材５０は、一方向に長い板状のベース５１と、ベース５１の中央付近で、その一面に一体に起立した低い有底の円筒状の中空の密閉部５２と、密閉部５２と異なる面に一体に起立させて設けた低い有底の円筒状の中空の嵌合部５３とを備えている。そして、密閉部５２及び嵌合部５３の各仮想の中心線Ｃ１は一致するようにされている。
【００５５】
図２６において、密閉部５２の外径Ｌ１は、図２４の水切り孔７０の内径ＨＬよりも僅かに大きく、変形することで水切り孔７０に緊密に受容されるようになっている。嵌合部５３の内径Ｌ２は、図２４のガイド部７４の外径ＧＬ２よりも僅かに小さく、変形することでガイド部７４に嵌合されるようになっている。また嵌合部５３の内側に設けられた凸部５３ｃの外径Ｌ３は、図２４のガイド部７４の内径ＧＬ１よりもわずかに小さく、凸部５３ｃがガイド部７４の内側に入り込むようになっている。
また、密閉部５２の高さＴＬ１は、図２４のガイド部７４の高さＧＴとほぼ一致するか僅かに小さい。これに対して、嵌合部５３の高さ、すなわち嵌合部５３の基部から先端部５３ａまでの距離ＴＬ２は、ガイド部７４の高さＧＴよりも小さく形成することで、嵌合部５３をガイド部７４にセットした状態において、ガイド部７４及び流路７４ａの一部が、開閉部材５０から露出するようにされ、また、ガイド部７４への結合力が密閉部５２よりも弱くなるようにされている。
ベース５１の一端よりには、図２６において、段部５４ｂを介して嵌合部５３の上記先端部５３ａよりも低い位置に、固定用孔５４が形成されている。この固定用孔５４は、図２３及び図２４で説明した固定用ボス７３が着脱可能に係止されて、開閉部材５０を仮固定するためのものである。
【００５６】
図２９及び図３０は、このような開閉部材５０を水切り孔７０のガイド部７４に装着する様子を示しており、図２９は開閉部材５０を水切り孔７０のガイド部７４に装着した状態を示す概略平面図、図３０は図２９のＦ−Ｆ線切断端面図である。
図３０に示されているように、電子レンジ消毒の場合には、ケース体の外側から開閉部材５０−１として示されたように装着する（あわせて図２参照）。薬液消毒の場合ケース体の内側から、５０−２として示されたように装着する。
【００５７】
（電子レンジ消毒の場合）
開閉部材５０−１は、図３０（ａ）の状態とされる。すなわち、開閉部材５０−１は、消毒用容器１０の外側から、嵌合部５３を空間部５３ｂを中心にむかって変形させるようにして、ガイド部７４の外側に装着されている。すなわち、ガイド部７４は嵌合部５３の内側で凸部５３ｃの外側に受容される。この状態においては、嵌合部５３の高さは、ガイド部７４の高さよりも低いことから、浅く結合しており、結合力は比較的弱い。したがって、開閉部材５０−１をガイド部７４に装着するのは容易で、取り外しもしやすい。
この状態においては、嵌合部５３の先端部５３ａと平坦面７２との間に、隙間が生じる。この隙間は小開口Ｍ１となって、ガイド部５４を構成する各リブどうしの間でなる流路７４ａが、隙間である小開口Ｍ１の分だけ露出し、水切り孔７０と連通している。
このため、電子レンジ消毒に際して、レンジ加熱の熱で、ケース体の内側の圧力が高まった場合には、流路７４ａ及び小開口Ｍ１から空気や蒸気が抜けるので、ケース体内部の圧力が高い圧力となった場合の危険を回避できる。また、流路７４ａが開口とされているため、電子レンジ消毒後に流路７４ａから湯を捨てることで水切りすることができる。
【００５８】
ここで、この状態においては、開閉部材５０−１とガイド部７４との結合力は比較的弱いので、なんらかの原因で外れるおそれもある。そこで、固定用孔５４に、ケース体側の固定用ボス７３を緊密に挿入することで、このような脱落を防止できるように仮止めできるようになっている。また、固定用孔５４を固定用ボスに固定することで、湯を捨てて水切りする際に、嵌合部５３のガイド部７４に対する固定を解除して、水切り孔７０を完全に露出させて、短時間で一度に湯を排出してもよい。この時、ベース５１の固定用孔５４と逆側の端部は、図３０（ａ）に示すように、平坦面７２と離間しており、つまみやすくされている。
このため、作業途中において、開閉部材５０−１が脱落して紛失する等の心配がないようにされている。
【００５９】
（薬液消毒の場合）
開閉部材５０−１は、図３０（ｂ）の状態とされる。すなわち、開閉部材５０−１は、消毒用容器１０の内側から、その密閉部５２を空間部５２ａを中心にむかって変形させるようにして、水切り孔７０の内側に強制的に挿入されることで、装着されている。つまり、密閉部５２は水切り孔７０の内側に受容される。この場合密閉部５２の外径は水切り孔７０の内径より僅かに大きい状態から変形させて、深く挿入されることで結合している。このため結合力は電子レンジ消毒の場合よりもはるかに強い。したがって、開閉部材５０−２を水切り孔７０から外れにくく、しかも水切り孔７０は、密閉部５２の筒状の壁で遮蔽されるので、水抜き孔７０は完全に密閉される。さらに、ベース５１も平坦面７２に接触するように形成されているため、確実に密閉することができる。
【００６０】
これにより、後述するようにしてケース体を起立状態とし、内部に消毒用の薬液を収容しても、密閉状態は完全であり、外に漏れることがない。しかも、開閉部材５０−２は水切り孔７０と強固に結合しており、外れにくいので、開閉部材５０−２が容易に外れて薬液が外に漏れる心配もない。尚、電離レンジ消毒のために開閉部材を外側セットした図３０（ａ）の状態で、誤って薬液消毒のための消毒液をケース体１１内に充填しようとした場合、上述したように、流路７４ａ及び小開口Ｍ１から消毒液が漏れるため、ケース体１１内に消毒液を保持できないようになっている。
【００６１】
図３１は、開閉部材の誤った使用を防止するための工夫について説明するための図である。
そもそも、開閉部材５０では、図２５ないし図３１で説明したように、ベース５２の異なる面に密閉部５２と嵌合部５３とを別々に設けたことから、これらを択一的にしか使用できないようにされている。このため、密閉部５２と嵌合部５３とを区別しさえすれば、誤使用が生じないようにされている。
【００６２】
さらに、図３１に示されているように、ケース体の外側から開閉部材５０−３の密閉部５２を挿入しても、密閉部の高さＴＬ１は、ガイド部７４の高さＧＴよりも小さく、また、ガイド部７４の内径は密閉部５２の外径よりもはるかに大きいので、結合することができない。
あるいは、ケース体の内側から開閉部材５０−４の嵌合部５３に対応すべきガイド部がケース体１１の内面には存在しないため結合することができない。
このようにして、誤使用を防止することができる。
【００６３】
本実施形態の消毒用容器１０は以上のように構成されており、電子レンジ消毒と薬液消毒の両方に使用することができる。
電子レンジ消毒を行う場合には、消毒用容器１０を図１及び図２に示すように載置状態とする。事前の準備として、開閉部材５０は、図２及び、詳しくは図３０（ａ）の符号５０−１で説明したように装着する。さらに、小ケース６０に図４で説明したように、予め洗浄を済ませた付属品として例えば、乳首ＮとフードＦ、キャップＫを配置しておく。
【００６４】
次に、図３に示すように、使用者は、扉部２０に対面した状態で、扉部２０を開き、トレー体３０を手前に引出して、トレー体３０に少量の水、例えば５０ミリリットル程度を入れ、哺乳瓶のボトルＢを配置する。この場合、ボトルＢ等は予め洗剤等で洗浄しておく。トレー体３０には、図１１、図１２等で説明した保持体３５がセットされている。この保持体３５を利用してボトルＢを位置ずれしないように配置する。特に太いタイプのボトルＢでは、３本セットできない場合もある。この場合、特に、一本のボトルＢを消毒する場合等では、保持体３５によりボトルＢを位置決めすると、作業中に位置ずれを生じないので好ましい。
【００６５】
次いで、トレー体３０を図３のＹ方向奥側に移動させた後で、図５に示すように、予め付属品を収容した小ケース６０を内部空間Ｓのトレー体３０の上にスライドさせて収容する（図７参照）。
扉部２０を閉めて、掛止手段２４により扉部２０を固定して、図示しない電子レンジの庫内を収容する。次いで、電子レンジにより、所定時間、例えば５分程度加熱する。内部空間Ｓに収容された哺乳瓶Ｂや付属品は、電子レンジのマイクロ波により加熱消毒されるとともに、トレー体３０に入れた水が加熱されて蒸気となり、その蒸気が収容物の内外に接触することで、蒸気消毒されるとともに、付着した微細なゴミ等も除去される。加熱終了後、消毒用容器１０を、側壁把持部４０，４０をそれぞれの手で保持して取り出す。
【００６６】
消毒用容器１０は熱くなっているので、できるだけ側壁把持部４０，４０を持つようにして、排水できる場所へ運び、図２２の奥側壁部１６を下に向けて、図３０で説明した流路７４ａ及び小開口Ｍ１から湯を捨てる。
最後に、図１の状態、もしくは、後述する起立状態として、清潔な哺乳瓶及び付属品をそのまま保管する。これにより、消毒後の哺乳瓶及び付属品をケース体１１内で清潔に保管することができる。
また、図１や図２の状態で保管している場合には、使用のため扉部２０を開くと、扉部２０の内面に付着していた蒸気による水滴は、重力で下降して図３のリブ２２で受けられるので、外にたれて周囲を濡らすおそれがない。
【００６７】
次に、消毒用容器１０を薬液消毒に使用する場合について、図３２ないし図３８を参照しながら説明する。
消毒用容器１０は、図１や図２のような配置ではなく、図３２に概略的に示すように、奥側壁部１６を底面として起立した状態の容器として使用する。
先ず、消毒用容器１０について扉部２０を開いて、トレー体３０を取り出し、小ケース６０や保持体３５を取り外すとともに、開閉部材５０を内部空間Ｓの内側から、図３０（ｂ）で説明した符号５０−２に示すようにセットする。これにより、ケース体１１の内部空間Ｓは密閉される。この場合、ケース体１１の内側に、装着する開閉部材５０の外形を縁取りした線等による案内手段を設けておけば、これに従って開閉部材５０を装着することができ、装着が容易となる。
こうして、ケース体１１の密閉状態を確保した後に、ケース体１１の内部空間Ｓ内に所定量の水を入れる。この実施形態では、ケース体１１内には、例えば、水を３．４リットル入れた場合の液面に対応して目盛りを設けている。さらに、消毒液４２ミリリットルを計量し、水に溶かして消毒薬液が準備された状態とすることができる。
【００６８】
次に、図３２に示すように、哺乳瓶のボトルＢをその瓶底をトレー体３０に向けるようにして、開口部を上に向けた状態で傾斜させてケース体１１に収容する。ボトルＢを傾斜させた分、内部空間Ｓの上部が空くので、その空間に図３３に示すように、付属品、例えば、乳首ＮやフードＦを収容する。そして、図３５の矢印に示すように、小ケース６０の着脱底面部６４をつまみ部６５を持って取り外し、図９及び図１０で説明した支持手段３３に、着脱底面部６４の支持片３７（図１２参照）を保持させることで取り付ける。この際、開口部１２側の支持手段３３が短くされていることで、つまみ部６５を持った手を薬液に必要以上に近づけることなく、着脱底面部６４をやや傾斜させて保持し、薬液の液面Ｌ３に手を触れることなく中蓋として装着することができる。
【００６９】
これにより、図３６の状態となり、液面Ｌ３は、取り付けた着脱底面部６４付近位置となる。消毒用の薬液は、次亜塩素酸ナトリウム溶液等の市販のものが使用できる。
これにより、図３３に示すように、哺乳瓶のボトルＢだけでなく、取り付けた着脱底面部６４が押さえ蓋となって、付属品、例えば、乳首ＮやフードＦ、キャップＫが液面Ｌ３より上に浮かないように押さえられて、これらが薬液ＭＬ中に完全に浸漬される。
この状態で扉部２０を閉めて、例えば１時間程度で薬液の消毒が終了するので、扉部２０を開けて、市販のハサミ状の治具等で、哺乳瓶のボトルＢや付属品を取り出し、ケース体１１内の薬液は、ケース体１１を逆さにして、図３の開口部１２から流し等に廃棄する。
以上により薬液消毒を完了する。
【００７０】
尚、哺乳瓶のボトルＢの太さや長さ等のサイズの相違によっては、図３６のような使用ができない場合、あるいはより多くのボトルＢを消毒する目的等に応じて、図３４のように使用してもよい。
図３４は、着脱底面部６４使用しないで、各ボトルＢを横向きにして収容した状態を示しており、ボトルＢを横向きにして互い違いに積み、本数を多く消毒する場合を示している。
かくして、消毒用容器１０によれば、ひとつの容器で電子レンジによる消毒と薬液消毒をそれぞれ行うことができる消毒用容器を提供することができる。
【００７１】
図３７は、開閉部材の第１の変形例を示している。
図３７ないし図３９において、すでに説明した箇所と共通する構成には同じ符号を付して重複する説明は省略する。
図３７において、開閉部材８０は、上述の開閉部材５０と同様の性質をもつ材料で形成されている。
ベース８１の一面には、有底の筒状に形成され空隙を有する嵌合突起部８２が形成されている。嵌合突起部８２は、筒体を構成する材料が内方に変形できる変形部８２ａとされている。
ベース８１の他の面には、嵌合突起部８２の仮想の中心線Ｃ３とは水平にずれた箇所に仮想の中心線Ｃ４を持つ密閉突起部８３が形成されている。密閉突起部８３は、有底の筒状に形成され空隙を有する形態で、筒体を構成する材料が内方に変形できる変形部８３ａとされている。
【００７２】
開閉部材５０と異なるのは、嵌合突起部８２も密閉突起部８３もともに水抜き孔７０に挿入される点である。すなわち、図３８に示すようにケース体側の平坦面７２には、ガイド部が形成されていない。
そして、密閉突起部８３はケース体の内側から水切り孔７０に緊密に挿入され、その外径Ｌ４は、水切り孔７０の内径よりも僅かに大きな外径を有している。
これに対して、嵌合突起部８２は、ケース体の外側から水切り孔７０に挿入されるようになっており、水切り孔７０の内径よりも僅かに大きく、かつ密閉突起部８３の外径Ｌ４よりも僅かに小さな外径Ｌ３を有している。
また、嵌合突起部８２の変形部８２ａは、密閉突起部８３の変形部８３ａよりも、その肉厚を小さくすることによって変形度合いが大きく設定されている。
【００７３】
これにより、開閉部材８０の密閉突起部８３は、水切り孔７０に緊密に挿入されるので、薬液消毒の際には、薬液が漏れることなく密閉できる。しかも、密閉突起部８３の変形部８３ａが適切に変形することで、大きな外径の密閉突起部８３が水切り孔７０に挿入可能とされ、その変形部８３ａは嵌合突起部８２よりも変形度合いが小さいので、密閉状態を適切に保持できる。
これに対して、開閉部材８０の嵌合突起部８２は密閉突起部８３よりも僅かに小さな外径を有しているので、より水切り孔７０に挿入しやすく、その変形部８２ａは密閉突起部８３の変形部８３ａよりも変形度合いが大きいので、この点においても、図３８に示す電子レンジ消毒の際に着脱しやすい。尚、この変形例においては、電子レンジ消毒後には、開閉部材８０の嵌合突起部８２を水切り孔７０から外して水切りを行うこととなる。
【００７４】
これに加えて、図３７に示すように、嵌合突起部８２の周囲には、平坦面７２の外面と対応した位置決め手段が設けられており、この場合、位置決め手段は嵌合突起部８２の周囲に設けたリング状の溝で構成した位置決め溝８５である。
一方、図３８に示すように、平坦面の外面には、水切り孔７０の周囲に、ケース体側の位置決め手段が形成されており、この場合には位置決め手段は水切り孔７０の周囲に設けたリング状の凸部７７で構成している。
【００７５】
これにより、図３８に示すように、嵌合突起部８２が水抜き孔７０に正しく嵌合された際には、水切り孔７０の周囲に設けたリング状の凸部７７が開閉部材８０側の位置決め溝８５に受容される。
これに対して、図３９に示すように、誤ってケース体の外側から、密閉突起部８３を水抜き孔７０に挿入しようとすると、水切り孔７０の周囲に設けたリング状の凸部７７がベース８１の表面に当接して、ベース８１が平坦面７２に密着できなくなる。これにより誤使用を防止することができる。
【００７６】
図４０及び図４１は、ケース体の内側の構造を工夫して誤使用を防止する例を示している。
第２の変形例の開閉部材８０を使用する場合に、ケース体の内面に、平坦面７２の領域を、制限しておく。すなわち、水切り孔７０の中心から半径Ｄ１の距離に段部もしくは傾斜段部７２ａを形成しておく。
これにより、図４１に示すように、ケース体の内側から、水切り孔７０に対して、誤って嵌合突起部８２を挿入しようとすると、開閉部材８０が図３７で説明したように、嵌合突起部８２と密閉突起部８３とを水平方向にずらした箇所に形成されているので、ベース８１の固定用孔８４側端部が、傾斜段部７２ａと当接してしまう。このため、平坦面７２に開閉部材８０が密着できないので、ユーザに誤使用を気づかせることができる。
【００７７】
図４２ないし図４４は、開閉部材の第２の変形例を示している。
図４２ないし図４４において、すでに説明した箇所と共通する構成には同じ符号を付して重複する説明は省略する。
図４２において、開閉部材９０は、水切り孔の孔深さの方向に沿って進退される構成であり、さらに、進退位置に応じて、水切り孔を密閉し、あるいは別の進退位置で、ケース体と外部とを水切り孔を部分的に開放して連通させる構成としている特徴がある。
【００７８】
具体的には、図４２に示すように、開閉部材９０は、拡径した頭部９１と、頭部９１から延びるネジ部９２と、ネジ部９２に長さ方向に形成され、先端まで達するスリット９３とを有し、リング状のパッキン９４を使用するようにしている。
図４３及び図４４に示されているように、この場合、水切り孔７０は、開閉部材９０のねじ部９２と螺合する貫通したネジ孔とされている。
また、図４３及び図４４に示されているように、頭部９１の下面のネジ部９２基端周縁には段部９１ａが形成されている。この段部９１ａの周囲にはリング状のパッキン９４が装着されている。水切り孔７０の周縁には、段部９１ａを受容する凹部７０ａが形成されている。
【００７９】
第２の変形例は以上のように構成されており、開閉部材９０を閉める方向に回転させると、図４３に示すように、ネジ部９２は水切り孔７０と螺合して深く入り込み、段部９１ａはケース体側の凹部７０ａに受容されるとともに、リング状のパッキン９４は平坦面７２に押し付けられる。これにより、ケース体は完全に密閉されるので、薬液消毒を行うことができる。
これに対して、開閉部材９０を開く方向に逆回転させると、図４４に示すように、ネジ部９２は水切り孔７０から後退して外部に移動し、段部９１ａはケース体側の凹部７０ａから出て、リング状のパッキン９４も平坦面７２から離れる。この状態では、ネジ部９２のスリット９３の一部が小開口Ｍ２を形成するので、ケース体の内部空間Ｓと外部が連通する。これにより電子レンジ消毒を行うことができる。
かくして、開閉部材９０が進退位置に応じて、ケース体を密閉できるので、構造が単純でありながら、操作が簡単で確実である。
【００８０】
本発明は上述の実施形態に限定されない。
開閉部材は、本発明の原理を利用して、さらに他の構成とすることができる。上述の実施形態における種々の構成は必ずしも全て実施されなくてもよく、一部を省略したり、説明しない他の構成と適宜組み合わせることができる。
本発明の消毒用容器により消毒される対象は哺乳瓶やその付属品に限るものではなく、形態上ケース体に収容できれば、消毒対象の種類はなんでもよい。
【図面の簡単な説明】
【００８１】
【図１】本発明の実施形態による消毒用容器を載置した状態における概略斜視図。
【図２】本発明の実施形態による消毒用容器を載置した状態における概略斜視図。
【図３】図１の消毒用容器の扉部を開いてトレー体を引出した状態における概略斜視図。
【図４】図１の消毒用容器に用いる小ケースを開いて付属品を配置した状態を示す概略斜視図。
【図５】図１の消毒用容器の扉部を開いて小ケースを差し入れる、あるいは引出す状態における概略斜視図。
【図６】図１の消毒用容器の概略平面図。
【図７】図６のＡ−Ａ線概略断面図。
【図８】図１の消毒用容器のケース体の右側面。
【図９】図１の消毒用容器のトレイ体の概略平面図。
【図１０】図９のＢ−Ｂ線切断端面図。
【図１１】図１の消毒用容器のトレイ体に装着する保持体の概略側面図。
【図１２】図１の消毒用容器のトレイ体に装着する保持体の概略平面図。
【図１３】図１の消毒用容器の扉部の概略平面図。
【図１４】図１の消毒用容器の扉部の概略水平断面図。
【図１５】図１の消毒用容器の扉部の概略側面図。
【図１６】図１の消毒用容器の扉部のヒンジ部と掛止手段の図であり、（ａ）はヒンジ部の拡大断面図、（ｂ）は掛止手段の拡大断面図。
【図１７】図１の消毒用容器のヒンジ部の支軸を支持する軸受の構成例を示す概略斜視図。
【図１８】図１の消毒用容器の小ケースを示す概略斜視図。
【図１９】図１８のＣ−Ｃ線切断端面図。
【図２０】図１の消毒用容器の小ケースの着脱底面部の概略側面図。
【図２１】図１の消毒用容器の小ケースの着脱底面部の概略平面図。
【図２２】図１の消毒用容器のケース体の水切り孔周辺を示す概略斜視図。
【図２３】図２２の水切り孔周辺の領域を拡大して示す概略平面図。
【図２４】図２３のＤ−Ｄ線切断端面図。
【図２５】図１の消毒用容器の開閉部材の概略平面図。
【図２６】図１の消毒用容器の開閉部材の概略正面図。
【図２７】図１の消毒用容器の開閉部材の概略底面図。
【図２８】図２５のＥ−Ｅ線概略断面図。
【図２９】図２５の開閉部材を水切り孔周辺に装着した状態を示す概略平面図。
【図３０】図２９のＦ−Ｆ線概略断面図。
【図３１】図２５の開閉部材の誤使用の状態を説明する図。
【図３２】図１の消毒用容器のケース体に薬液消毒のためにボトルをいれた状態を示す図。
【図３３】図１の消毒用容器のケース体に薬液消毒のためにボトルをいれ着脱底面図を装着した状態を示す図。
【図３４】図１の消毒用容器のケース体に薬液消毒のためにボトルをいれた他の例を示す図。
【図３５】図１の消毒用容器の小ケースの着脱底面部を取り外す状態を示す図。
【図３６】図１の消毒用容器のケース体に薬液消毒のためにボトルをいれ着脱底面図を装着した状態を示す概略斜視図。
【図３７】図１の消毒用容器の開閉部材の第１の変形例を示す概略断面図。
【図３８】図３７の開閉部材の正しい使用状態を示す概略断面図。
【図３９】図３７の開閉部材の誤った使用状態を示す概略断面図。
【図４０】図３７の開閉部材の正しい使用状態を示す概略断面図。
【図４１】図３７の開閉部材の誤った使用状態を示す概略断面図。
【図４２】図１の消毒用容器の開閉部材の第１の変形例を示す概略分解斜視図。
【図４３】図４２の開閉部材によりケース体を密閉した状態（薬液消毒）を示す部分断面図。
【図４４】図４２の開閉部材によりケース体の内部空間を一部外部と連通させた状態（電子レンジ消毒）を示す部分断面図。
【符号の説明】
【００８２】
１０・・・消毒用容器、１１・・・ケース体、２０・・・扉部、３０・・・トレー体、４０・・・側壁把持部、５０・・・開閉部材、５１・・・ベース、５２・・・密閉部、５３・・・嵌合部、６０・・・小ケース、７０・・・水抜き孔
【図１】
2006110366.tif 000003
【図２】
2006110366.tif 000004
【図３】
2006110366.tif 000005
【図４】
2006110366.tif 000006
【図５】
2006110366.tif 000007
【図６】
2006110366.tif 000008
【図７】
2006110366.tif 000009
【図８】
2006110366.tif 000010
【図９】
2006110366.tif 000011
【図１０】
2006110366.tif 000012
【図１１】
2006110366.tif 000013
【図１２】
2006110366.tif 000014
【図１３】
2006110366.tif 000015
【図１４】
2006110366.tif 000016
【図１５】
2006110366.tif 000017
【図１６】
2006110366.tif 000018
【図１７】
2006110366.tif 000019
【図１８】
2006110366.tif 000020
【図１９】
2006110366.tif 000021
【図２０】
2006110366.tif 000022
【図２１】
2006110366.tif 000023
【図２２】
2006110366.tif 000024
【図２３】
2006110366.tif 000025
【図２４】
2006110366.tif 000026
【図２５】
2006110366.tif 000027
【図２６】
2006110366.tif 000028
【図２７】
2006110366.tif 000029
【図２８】
2006110366.tif 000030
【図２９】
2006110366.tif 000031
【図３０】
2006110366.tif 000032
【図３１】
2006110366.tif 000033
【図３２】
2006110366.tif 000034
【図３３】
2006110366.tif 000035
【図３４】
2006110366.tif 000036
【図３５】
2006110366.tif 000037
【図３６】
2006110366.tif 000038
【図３７】
2006110366.tif 000039
【図３８】
2006110366.tif 000040
【図３９】
2006110366.tif 000041
【図４０】
2006110366.tif 000042
【図４１】
2006110366.tif 000043
【図４２】
2006110366.tif 000044
【図４３】
2006110366.tif 000045
【図４４】
2006110366.tif 000046
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
内部に消毒対象物を収容する収容空間を有するケース体でなり、このケース体を開閉する扉部が前面に位置する電子レンジ消毒用の載置状態と、前記扉部により開閉される開口部を上方に向けた薬液消毒用の起立状態とを選択して使用するようにした消毒用容器であって、
前記ケース体が、
前記載置状態において、左右側壁部に露出した把持部を有しており、
前記扉部を手前とした場合に、奥行き方向に移動されて前記収容空間に挿脱されるトレー体と、
前記ケース体の前記載置状態においては、前記トレー体よりも上の位置で、前記起立状態においてほぼ下向きとなる箇所に、開閉部材によって開閉されるように設けられた水抜き孔と
前記トレー体の内面に設けられ、薬液消毒の際に該ケース体の中蓋として機能する部材が着脱される薬液消毒用の支持手段と、
電子レンジ消毒の際における消毒対象を保持するための保持体が着脱される支持手段と
を有しており、
前記収容空間の前記扉部側の投影面積が、前記起立状態における前記収容空間の底面側の投影面積よりも大きくなるようにされている
ことを特徴とする消毒用容器。
【請求項２】
前記ケース体は、少なくとも前記起立状態における底面と側面との突き合わせ角部が曲面状に形成されていて、前記水切り孔に取り付けられる前記開閉部材自体、および／または開閉部材と前記水切り孔の周縁近傍との間に弾性体が配置されて、前記水切り孔を密閉するようにしたことを特徴とする請求項１に記載の消毒用容器。
【請求項３】
前記ケース体には、薬液消毒の際の薬液や、電子レンジ消毒の際の湯を排出するための貫通孔とされた水切り孔を有し、かつ該水切り孔を保護するために、一対のリブが所定の間隔を設けて形成されていることを特徴とする請求項１または２のいずれかに記載の消毒用容器。
【請求項４】
前記ケース体の前記収容空間内であって、前記トレー体よりも上方の空間に、通気可能なバスケット状で、しかも乳首とキャップ、フード等を収容可能な、小ケースが配置されるようになっており、
前記ケース体の収容空間の上部には、該ケース体の両側壁に、奥行き方向に延びるレール状もしくは突条でなる小ケースガイド部が形成されており、該小ケースガイド部上に、前記小ケースが、該小ケースの両側面に設けた載置部を載せることにより、奥行き方向に移動可能に収容されていることを特徴とする請求項１ないし３のいずれかに記載の消毒容器。
【手続補正２】
【補正対象書類名】明細書
【補正対象項目名】０００８
【補正方法】変更
【補正の内容】
【０００８】
上記目的は、請求項１の発明にあっては、内部に消毒対象物を収容する収容空間を有するケース体でなり、このケース体を開閉する扉部が前面に位置する電子レンジ消毒用の載置状態と、前記扉部により開閉される開口部を上方に向けた薬液消毒用の起立状態とを選択して使用するようにした消毒用容器であって、前記ケース体が、前記載置状態において、左右側壁部に露出した把持部を有しており、前記扉部を手前とした場合に、奥行き方向に移動されて前記収容空間に挿脱されるトレー体と、前記ケース体の前記載置状態においては、前記トレー体よりも上の位置で、前記起立状態においてほぼ下向きとなる箇所に、開閉部材によって開閉されるように設けられた水抜き孔と前記トレー体の内面に設けられ、薬液消毒の際に該ケース体の中蓋として機能する部材が着脱される薬液消毒用の支持手段と、電子レンジ消毒の際における消毒対象を保持するための保持体が着脱される支持手段とを有しており、前記収容空間の前記扉部側の投影面積が、前記起立状態における前記収容空間の底面側の投影面積よりも大きくなるようにされている消毒容器により、達成される。
【手続補正３】
【補正対象書類名】明細書
【補正対象項目名】０００９
【補正方法】変更
【補正の内容】
【０００９】
請求項１の構成によれば、本発明の消毒用容器は、ケース体を開閉する扉部が前面に位置する載置状態で電子レンジの庫内に収容して電子レンジによる消毒を行い、前記扉部により開閉される開口部を上方に向けた起立状態において、ケース体の中に薬液を収容して薬液消毒を行うものである。
この場合、前記ケース体の前記収容空間の前記扉部側の投影面積が、前記起立状態における前記収容空間の底面側の投影面積よりも大きいので、収容物となる哺乳瓶等の出し入れを行い易い。また、ケース体を前記起立状態として、内部に薬液を所定量収容した後で、哺乳瓶やその付属品等を薬液内にいれても、液面の急激な上昇が防止されるので、薬液の外部への溢れを防止して、適切に薬液消毒を行うことができる。
【手続補正４】
【補正対象書類名】明細書
【補正対象項目名】００１０
【補正方法】変更
【補正の内容】
【００１０】
また、ケース体の左右側壁部に露出した把持部を有していることから、電子レンジの庫内に出し入れする場合にも把手が邪魔にならず、この把手を使用して出し入れの作業がしやすい。
さらに、ケース体の前記扉部を手前とした場合に、奥行き方向に移動されて前記収容空間に挿脱されるトレー体と、前記ケース体の前記載置状態においては、前記トレー体よりも上の位置で、前記起立状態においてほぼ下向きとなる箇所に、開閉部材によって開閉されるように設けられた水抜き孔を有しているので、トレー体に電子レンジ加熱用の水を収容して、トレー体をケース体に収容することができ、加熱消毒後は、前記水抜き孔から不要な湯を捨てることができる。
【手続補正５】
【補正対象書類名】明細書
【補正対象項目名】００１１
【補正方法】変更
【補正の内容】
【００１１】
第２の発明は、第１の発明の構成において、前記ケース体は、少なくとも前記起立状態における底面と側面との突き合わせ角部が曲面状に形成されていて、前記水切り孔に取り付けられる前記開閉部材自体、および／または開閉部材と前記水切り孔の周縁近傍との間に弾性体が配置されて、前記水切り孔を密閉するようにしたことを特徴とする。
【手続補正６】
【補正対象書類名】明細書
【補正対象項目名】００１２
【補正方法】変更
【補正の内容】
【００１２】
第３の発明は、第１または２のいずれかの発明の構成において、前記ケース体には、薬液消毒の際の薬液や、電子レンジ消毒の際の湯を排出するための貫通孔とされた水切り孔を有し、かつ該水切り孔を保護するために、一対のリブが所定の間隔を設けて形成されていることを特徴とする。
【手続補正７】
【補正対象書類名】明細書
【補正対象項目名】００１３
【補正方法】変更
【補正の内容】
【００１３】
第４の発明は、第１ないし３のいずれかの発明の構成において、前記ケース体の前記収容空間内であって、前記トレー体よりも上方の空間に、通気可能なバスケット状で、しかも乳首とキャップ、フード等を収容可能な、小ケースが配置されるようになっており、前記ケース体の収容空間の上部には、該ケース体の両側壁に、奥行き方向に延びるレール状もしくは突条でなる小ケースガイド部が形成されており、該小ケースガイド部上に、前記小ケースが、該小ケースの両側面に設けた載置部を載せることにより、奥行き方向に移動可能に収容されていることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】